(57)【要約】【課題】記録層の識別時間の短縮化を図る。【解決手段】光ディスク装置１は、記録層１０１とガイド層１０２とを有する光ディスク１００に対して情報の記録を行う。光ディスク装置１は、記録判定部２１によって、ユーザデータ記録領域１０１ｃにデータが未記録であると判定された場合に、そのユーザデータ記録領域１０１ｃを有する記録層１０１に層識別情報を書き込む層情報記録部２５を備えている。【選択図】図１
2014032729.tif 000002
【特許請求の範囲】
【請求項１】
トラックを備えていない記録層と、トラッキングを行うためのガイドトラックを備えているガイド層とを有する情報記録媒体に対して情報の記録を行う記録装置であって、
上記記録層が有する、データを記録可能なユーザデータ記録領域にデータが記録されているか否かを判定する記録判定手段と、
上記記録判定手段によって、上記ユーザデータ記録領域に上記データが未記録であると判定された場合に、当該ユーザデータ記録領域を有する記録層に、当該記録層を識別するための層識別情報を書き込む書き込み手段と、を備えていることを特徴とする記録装置。
【請求項２】
上記情報記録媒体の上記記録層は、当該記録層を管理するための管理情報を記録可能な管理情報記録領域を備え、
上記書き込み手段は、上記管理情報記録領域に上記層識別情報を書き込むことを特徴とする請求項１に記載の記録装置。
【請求項３】
上記書き込み手段が上記層識別情報を書き込む記録層の記録条件を決定する記録条件決定手段を備え、
上記書き込み手段は、上記層識別情報を、上記記録条件決定手段が決定した上記記録条件を示す記録条件情報とともに書き込むことを特徴とする請求項１または２に記載の記録装置。
【請求項４】
上記情報記録媒体の上記記録層は、当該記録層を管理するための管理情報を記録可能な管理情報記録領域と、上記層識別情報が記録された、情報の書き換えが不可能な再生専用領域とを備え、
上記書き込み手段は、上記再生専用領域に記録されている上記層識別情報を、上記管理情報記録領域に書き込むことを特徴とする請求項１から３のいずれか１項に記載の記録装置。
【請求項５】
トラックを備えていない記録層と、トラッキングを行うためのガイドトラックを備えているガイド層と、を有する情報記録媒体であって、
上記記録層は、当該記録層を識別するための層識別情報が記録可能な層識別情報記録領域を有していることを特徴とする情報記録媒体。
【請求項６】
上記記録層は、当該記録層を管理するための管理情報を記録可能な管理情報記録領域をさらに備え、
上記層識別情報記録領域は、上記管理情報記録領域に配置されていることを特徴とする請求項５に記載の情報記録媒体。
【請求項７】
上記記録層は、データを記録可能なユーザデータ記録領域をさらに備え、
上記層識別情報記録領域は、上記管理情報記録領域の、上記ユーザデータ記録領域の近傍に備えられていることを特徴とする請求項６に記載の情報記録媒体。
【請求項８】
上記記録層は、データを記録可能なユーザデータ記録領域をさらに備え、
上記層識別情報記録領域は、上記管理情報記録領域の、データの試し書きが実行されることにより、上記記録層の記録条件を示す記録条件情報が記録されるＯＰＣ実行領域の近傍に備えられていることを特徴とする請求項６または７に記載の情報記録媒体。
【請求項９】
上記層識別情報記録領域は、上記情報記録媒体に対して情報の記録を行う記録装置が当該記録を行うときの記録方向に対して、上記ユーザデータ記録領域よりも前方となるように配置されていることを特徴とする請求項７または８に記載の情報記録媒体。
【請求項１０】
上記層識別情報は、情報の書き換えが不可能な再生専用領域に記録されていることを特徴とする請求項５から９のいずれか１項に記載の情報記録媒体。
【請求項１１】
上記情報記録媒体の記録層の総数を示す総層数情報が記録されていることを特徴とする請求項５から１０のいずれか１項に記載の情報記録媒体。
【請求項１２】
上記情報記録媒体に対して情報の記録を行う記録装置によって決定された、上記記録層の記録条件を示す記録条件情報は、上記層識別情報とともに上記層識別情報記録領域に記録されることを特徴とする請求項５から１１のいずれか１項に記載の情報記録媒体。
【請求項１３】
トラックを備えていない記録層と、トラッキングを行うためのガイドトラックを備えているガイド層とを有する情報記録媒体に対して情報の記録を行う記録装置の制御方法であって、
上記記録層が有する、データを記録可能なユーザデータ記録領域にデータが記録されているか否かを判定する記録判定ステップと、
上記記録判定ステップによって、上記ユーザデータ記録領域に上記データが未記録であると判定された場合に、当該ユーザデータ記録領域を有する記録層に、当該記録層を識別するための層識別情報を書き込む書き込みステップと、を含むことを特徴とする記録装置の制御方法。
【請求項１４】
請求項１から４のいずれか１項に記載の記録装置を動作させるための制御プログラムであって、コンピュータを上記の各手段として機能させるための制御プログラム。
【請求項１５】
請求項１４に記載の制御プログラムを記録したコンピュータ読み取り可能な記録媒体。
【発明の詳細な説明】
【技術分野】
【０００１】
本発明は、トラックを備えていない記録層と、トラッキングを行うためのガイドトラックを備えているガイド層とを有する情報記録媒体に対して情報の記録を行う記録装置などに関するものである。
【背景技術】
【０００２】
従来から、複数の記録層を備える光ディスクとしては、ガイド層と記録層とが分離しておらず一体となっている（すなわち、各記録層にガイドトラックが形成されている）光ディスク（ガイド層一体型の光ディスク）と、記録層とガイド層とが分離して別々に形成されている光ディスク（ガイド層分離型の光ディスク）とが存在する。
【０００３】
ガイド層一体型の光ディスクとしては、現在、ＢＤ、ＤＶＤ等が一般に普及している。例えば、ＢＤには、ガイドトラックを高速に変調させたウォブルで位置（アドレス）情報が記録されている。
【０００４】
一方、ガイド層分離型の光ディスクは、記録層にトラック（ピットまたはウォブルなど）が形成されないので、簡単な構造の記録層を積層した構造となる。このため、容易に製造することができる。また、一般に、ガイド層一体型の光ディスクでは、記録層の数が増えるほどガイドトラックの製造精度が厳密になるのに対して、ガイド層分離型の光ディスクは、記録層にトラックが形成されないので、記録層の多層化が容易であるという利点もある。
【０００５】
ガイド層一体型の光ディスク（通常記録媒体）には、各記録層を識別するための層情報が、当該記録層ごとに記録されている。すなわち、複数の記録層のそれぞれに何番目の記録層であるかを示すデータが記録されている。このような層情報が記録されたガイド層一体型の光ディスクの一例として、特許文献１が挙げられる。
【０００６】
特許文献１の光ディスクは、記録光を案内するトラックを各々有する多層構造の記録層を備えており、上記層情報（層番号）がピット（凹凸）で構成されるトラック上に記録されている。また、そのトラックは、ウォブルであってもよい。このように、ガイド層一体型の光ディスクでは、各記録層がウォブルのトラックに層情報（位置情報）が記録されているので、未記録領域であってもその層情報を再生することにより、現在アクセスしている記録層を把握することができる。また、記録済み領域では、記録データに層情報が記録されているため、現在アクセスしている記録層の層番号を取得することができる。
【先行技術文献】
【特許文献】
【０００７】
【特許文献１】特開２００４−３１１０２７号公報（２００４年１１月  ４日公開）
【発明の概要】
【発明が解決しようとする課題】
【０００８】
しかしながら、ガイド層分離型の光ディスクでは、各記録層にトラックが形成されていないゆえ、当該記録層を識別するための層情報をピットまたはウォブルで記録しておくことができなかった。それゆえ、ガイド層一体型の光ディスクの場合には、アクセスする記録層にデータが未記録の場合であってもその記録層を記録装置に識別（特定）させることができたが、ガイド層分離型の光ディスクの場合には、そのような記録層の識別を行うことができなかった。
【０００９】
また、従来のガイド層分離型の光ディスクでは、各記録層を識別可能とするために、各記録層の反射率を変え、記録装置がその反射率の違いを検出することにより各記録層を識別していた。しかしながら、評価機を用いた試作レベルではその識別を行うことが可能であるが、当該光ディスクが量産され、かつ、種々の記録装置において情報記録が行われることを想定した場合、当該識別を行うことは困難であった。
【００１０】
それゆえ、ガイド層分離型の光ディスクに情報の記録を行う記録装置では、所定の記録層にアクセスしたときに、正確にかつ短時間で、そのアクセスしている記録層の層位置を把握することが困難であった。
【００１１】
本発明は、上記の問題を解決するためになされたもので、その目的は、ガイド層分離型の情報記録媒体が備える記録層を正確にかつ短時間で識別することが可能な記録装置などを提供することにある。
【課題を解決するための手段】
【００１２】
本発明に係る記録装置は、上記の課題を解決するために、
トラックを備えていない記録層と、トラッキングを行うためのガイドトラックを備えているガイド層とを有する情報記録媒体に対して情報の記録を行う記録装置であって、
上記記録層が有する、データを記録可能なユーザデータ記録領域にデータが記録されているか否かを判定する記録判定手段と、
上記記録判定手段によって、上記ユーザデータ記録領域に上記データが未記録であると判定された場合に、当該ユーザデータ記録領域を有する記録層に、当該記録層を識別するための層識別情報を書き込む書き込み手段と、を備えていることを特徴としている。
【００１３】
さらに、本発明に係る記録装置の制御方法は、上記の課題を解決するために、
トラックを備えていない記録層と、トラッキングを行うためのガイドトラックを備えているガイド層とを有する情報記録媒体に対して情報の記録を行う記録装置の制御方法であって、
上記記録層が有する、データを記録可能なユーザデータ記録領域にデータが記録されているか否かを判定する記録判定ステップと、
上記記録判定ステップによって、上記ユーザデータ記録領域に上記データが未記録であると判定された場合に、当該ユーザデータ記録領域を有する記録層に、当該記録層を識別するための層識別情報を書き込む書き込みステップと、を含むことを特徴としている。
【００１４】
上記構成によれば、上記ユーザデータ記録領域にデータが未記録であると判定された場合に、当該記録層に、当該記録層を識別するための層識別情報を書き込む。そのため、その書き込まれた層識別情報を記録層から直接読み出すことができる。
【００１５】
それゆえ、上記のような記録層とガイド層とを備える情報記録媒体において、従来のように、各記録層に層識別情報を備えず、各記録層の反射率の相違によって記録層（アクセスしている記録層）を識別する場合に比べ、当該記録層を正確にかつ短時間で識別することができる。
【００１６】
さらに、本発明に係る記録装置では、上記情報記録媒体の上記記録層は、当該記録層を管理するための管理情報を記録可能な管理情報記録領域を備え、上記書き込み手段は、上記管理情報記録領域に上記層識別情報を書き込むことが好ましい。
【００１７】
上記構成によれば、記録層が備える管理情報記録領域に、当該記録層を識別するための層識別情報を記録することができる。
【００１８】
ここで、管理情報記録領域およびユーザデータ記録領域は、情報の書き込みが可能であるため、一般に、情報の書き込み可能な領域（記録可能領域）に設けられる。したがって、ユーザデータ記録領域に近い位置に存在する管理情報記録領域に、層識別情報が記録されることになる。
【００１９】
それゆえ、ユーザデータ記録領域に近い管理情報記録領域から層識別情報を読み出すことが可能となるので、層識別情報を用いての記録層の識別から、ユーザデータ記録領域へのデータ記録までの時間を短縮することができる。
【００２０】
さらに、本発明に係る記録装置では、上記書き込み手段が上記層識別情報を書き込む記録層の記録条件を決定する記録条件決定手段を備え、
上記書き込み手段は、上記層識別情報を、上記記録条件決定手段が決定した上記記録条件を示す記録条件情報とともに書き込むことが好ましい。
【００２１】
上記構成によれば、層識別情報を記録条件情報とともに書き込むことができる。この記録条件は、情報記録媒体が例えば光ディスクの場合に、その情報記録媒体へのデータ記録処理前に行われるＯＰＣ（Optimum Power Control）処理（データの試し書き）が実行されることにより決定される。それゆえ、情報記録媒体へのデータの試し書き時に、記録条件情報とともに層識別情報を書き込むことができる。
【００２２】
それゆえ、ＯＰＣ処理が完了した後に、層識別情報の記録のためだけに記録処理を行う必要がないので、その後のデータの記録処理までにかかる時間を短縮することができる。
【００２３】
さらに、本発明に係る記録装置では、上記情報記録媒体の上記記録層は、当該記録層を管理するための管理情報を記録可能な管理情報記録領域と、上記層識別情報が記録された、情報の書き換えが不可能な再生専用領域とを備え、
上記書き込み手段は、上記再生専用領域に記録されている上記層識別情報を、上記管理情報記録領域に書き込むことが好ましい。
【００２４】
上記構成によれば、記録層の再生専用領域に記録されている層識別情報を、当該記録層の管理情報記録領域に書き込むことができる。
【００２５】
ここで、再生専用領域は、一般に、情報記録媒体の最内周側に設けられており、上述の記録可能領域とは別に設けられるものである。したがって、再生専用領域は、管理情報記録領域よりも、ユーザデータ記録領域に対して遠い位置に設けられている。
【００２６】
それゆえ、再生専用領域に記録されている層識別情報を管理情報記録領域に書き込むことにより、その後の当該記録層へのデータの記録処理では、ユーザデータ記録領域に近い管理情報記録領域から層識別情報を読み出すことが可能となる。したがって、層識別情報を用いての記録層の識別から、ユーザデータ記録領域へのデータ記録までの時間を短縮することができる。
【００２７】
さらに、本発明に係る情報記録媒体は、上記の課題を解決するために、
トラックを備えていない記録層と、トラッキングを行うためのガイドトラックを備えているガイド層と、を有する情報記録媒体であって、
上記記録層は、当該記録層を識別するための層識別情報が記録可能な層識別情報記録領域を有していることを特徴としている。
【００２８】
上記構成によれば、記録層は、層識別情報が記録可能な層識別情報記録領域を有しているので、当該領域に、当該記録層を示す層識別情報を記録することができる。そして、層識別情報を記録層の層識別情報記録領域から直接読み出すことができる。
【００２９】
それゆえ、上記のような記録層とガイド層とを備える情報記録媒体において、従来のように、各記録層に層識別情報を備えず、各記録層の反射率の相違によって記録層を識別する場合に比べ、当該記録層を正確にかつ短時間で識別することができる。
【００３０】
さらに、本発明に係る情報記録媒体では、上記記録層は、当該記録層を管理するための管理情報を記録可能な管理情報記録領域をさらに備え、
上記層識別情報記録領域は、上記管理情報記録領域に配置されていることが好ましい。
【００３１】
上記構成によれば、層識別情報記録領域は、管理情報記録領域に配置されている。上述のように、管理情報記録領域は、一般に上述の記録可能領域に設けられる。したがって、ユーザデータ記録領域に近い位置に存在する管理情報記録領域に、層識別情報を記録することができる。
【００３２】
それゆえ、記録装置は、ユーザデータ記録領域に近い管理情報記録領域から層識別情報を読み出すことが可能となるので、層識別情報を用いての記録層の識別から、ユーザデータ記録領域へのデータ記録までの時間を短縮することができる。
【００３３】
さらに、本発明に係る情報記録媒体では、上記記録層は、データを記録可能なユーザデータ記録領域をさらに備え、
上記層識別情報記録領域は、上記管理情報記録領域の、上記ユーザデータ記録領域の近傍に備えられていることが好ましい。
【００３４】
上記構成によれば、管理情報記録領域がユーザデータ記録領域の近傍に設けられている。それゆえ、層識別情報を用いての記録層の識別から、ユーザデータ記録領域へのデータの記録処理を開始するまでの時間、または、層識別情報を層識別情報記録領域に記録してから、上記記録処理を開始するまでの時間を短縮することができる。
【００３５】
さらに、本発明に係る情報記録媒体では、上記記録層は、データを記録可能なユーザデータ記録領域をさらに備え、
上記層識別情報記録領域は、上記管理情報記録領域の、データの試し書きが実行されることにより、上記記録層の記録条件を示す記録条件情報が記録されるＯＰＣ実行領域の近傍に備えられていることが好ましい。
【００３６】
上記構成によれば、管理情報記録領域がＯＰＣ実行領域の近傍に設けられている。それゆえ、層識別情報を用いての記録層の識別から、ＯＰＣ処理を開始するまでの時間、または、層識別情報を層識別情報記録領域に記録してから、ＯＰＣ処理を開始するまでの時間を短縮することができる。
【００３７】
さらに、本発明に係る情報記録媒体では、上記層識別情報記録領域は、上記情報記録媒体に対して情報の記録を行う記録装置が当該記録を行うときの記録方向に対して、上記ユーザデータ記録領域よりも前方となるように配置されていることが好ましい。
【００３８】
上記構成によれば、層識別情報記録領域が、上記記録方向に対してユーザデータ記録領域よりも前方となるように配置されていることにより、層識別情報の記録後、または、層識別情報が示す記録層の確認後、ユーザデータ記録領域へのデータ記録をスムースに行うことができる。
【００３９】
さらに、本発明に係る情報記録媒体では、上記層識別情報は、情報の書き換えが不可能な再生専用領域に記録されていることが好ましい。
【００４０】
上記構成によれば、層識別情報が再生専用領域に記録されているので、上記のような記録層とガイド層とを備える情報記録媒体において、従来のように、各記録層に層識別情報を備えず、各記録層の反射率の相違によって記録層を識別する場合に比べ、当該記録層を正確にかつ短時間で識別することができる。
【００４１】
また、層識別情報記録領域は情報の書き込みが可能であるため、一般に、上述の記録可能領域に設けられる。一方、再生専用領域は、一般に、情報記録媒体の最内周側に設けられており、記録可能領域とは別に設けられるものである。したがって、再生専用領域は、管理情報記録領域よりも、ユーザデータ記録領域に対して遠い位置に設けられている。
【００４２】
それゆえ、記録装置において、再生専用領域に記録されている層識別情報が管理情報記録領域に書き込まれることにより、その後の当該記録層へのデータの記録処理では、ユーザデータ記録領域に近い層識別情報記録領域から層識別情報を読み出すことが可能となる。したがって、層識別情報を用いての記録層の識別から、ユーザデータ記録領域へのデータ記録までの時間を短縮することができる。
【００４３】
さらに、本発明に係る情報記録媒体では、上記情報記録媒体の記録層の総数を示す総層数情報が記録されていることが好ましい。
【００４４】
上記構成によれば、総層数情報が記録されているので、記録装置は、総層数情報を利用して、記録層の識別を確実に行うことができる。
【００４５】
さらに、本発明に係る情報記録媒体では、上記情報記録媒体に対して情報の記録を行う記録装置によって決定された、上記記録層の記録条件を示す記録条件情報は、上記層識別情報とともに上記層識別情報記録領域に記録されることが好ましい。
【００４６】
上記構成によれば、記録条件情報が、層識別情報とともに層識別情報記録領域に記録される。それゆえ、ＯＰＣ処理が完了した後に、層識別情報の記録のためだけに記録処理を行う必要がないので、その後のデータの記録処理までにかかる時間を短縮することができる。
【００４７】
さらに、上記記録装置を動作させる制御プログラムであって、コンピュータを上記の各手段として機能させるための制御プログラム、および当該制御プログラムを記録したコンピュータ読み取り可能な記録媒体も本発明の技術的範囲に含まれる。
【００４８】
上記制御プログラムによれば、コンピュータで上記手段を実現することにより、コンピュータ上で記録装置を実現することができる。また、上記記録媒体によれば、記録媒体から読み出される制御プログラムを、汎用のコンピュータ上で実現することができる。
【発明の効果】
【００４９】
本発明に係る記録装置は、以上のように、上記記録層が有する、データを記録可能なユーザデータ記録領域にデータが記録されているか否かを判定する記録判定手段と、上記記録判定手段によって、上記ユーザデータ記録領域に上記データが未記録であると判定された場合に、当該ユーザデータ記録領域を有する記録層に、当該記録層を識別するための層識別情報を書き込む書き込み手段と、を備えている構成である。
【００５０】
さらに、本発明に係る記録装置の制御方法は、以上のように、上記記録層が有する、データを記録可能なユーザデータ記録領域にデータが記録されているか否かを判定する記録判定ステップと、上記記録判定ステップによって、上記ユーザデータ記録領域に上記データが未記録であると判定された場合に、当該ユーザデータ記録領域を有する記録層に、当該記録層を識別するための層識別情報を書き込む書き込みステップと、を含む方法である。
【００５１】
さらに、本発明に係る情報記録媒体は、以上のように、上記記録層は、当該記録層を識別するための層識別情報が記録可能な層識別情報記録領域を有している構成である。
【００５２】
それゆえ、ガイド層分離型の情報記録媒体が備える記録層を正確にかつ短時間で識別することができるという効果を奏する。
【図面の簡単な説明】
【００５３】
【図１】本発明の一実施形態に係る光ディスク装置が備える制御部の構成の一例を示す機能ブロック図である。
【図２】上記光ディスク装置の全体的な概略構成の一例を示す図である。
【図３】上記光ディスク装置によって少なくとも記録処理を行うことが可能な光ディスクの概略構成の一例を示す図である。
【図４】上記光ディスク装置における処理の一例を示すフローチャートである。
【図５】本発明の別の実施形態に係る光ディスク装置が備える制御部の構成の一例を示す機能ブロック図である。
【図６】上記光ディスク装置によって少なくとも記録処理を行うことが可能な光ディスクの概略構成の一例を示す図である。
【図７】上記光ディスク装置における処理の一例を示すフローチャートである。
【発明を実施するための形態】
【００５４】
〔実施の形態１〕
本発明の実施の一形態について図１〜図４に基づいて説明すれば、以下のとおりである。
【００５５】
＜光ディスク装置１の概略構成＞
まず、図２に基づき、本発明の一実施形態である光ディスク装置１（記録装置）の全体的な概略構成について説明する。図２は、光ディスク装置１の全体的な概要構成を示すブロック図である。
【００５６】
光ディスク装置１は、トラックを備えていないフラットな記録層１０１と、トラッキングを行うためのガイドトラックを備えているガイド層１０２とを有する光ディスク１００（情報記録媒体）（図３参照）に対して情報の記録または再生を行う。なお、本実施の形態では、少なくとも光ディスク１００に対して情報の記録処理を行うことができればよい。
【００５７】
なお、本実施形態に係る記録層は「トラックを備えていない」記録層であるが、これは、当該記録層にデータ記録用のトラックが設けられていないことを意味する。
【００５８】
光ディスク装置１は、図２に示すように、主として、格納部３、ディスク装填認識部６、記録再生回路群１０、光ピックアップ１２および制御部２０を備えている。また、光ピックアップ２は光ヘッド１１を備えており、記録再生回路群１０は、主として、ピックアップ駆動回路１３、レーザ駆動回路１４および再生回路１５を備えている。
【００５９】
光ディスク装置１は、記録層１０１への情報記録時には、上記サーボ用のレーザ光の焦点位置をトラッキング制御によりガイド層１０２のガイドトラック上を移動させつつ、上記記録用のレーザ光を記録層１０１に対して集光させることにより情報を書き込む（記録する）。この処理を実現するために、制御部２０は、ピックアップ駆動回路１３を介して光ピックアップ１２を上記書き込み位置（記録部位）へと移動させ、光ピックアップ１２の光ヘッド１１から出力されるレーザ光の焦点位置および出力値を制御する。また、このとき、制御部２０はレーザ駆動回路１４を介して記録条件を設定する。
【００６０】
また、光ディスク装置１では、制御部２０がピックアップ駆動回路１３を介して光ピックアップ１２を光ディスク１００の記録部位へ移動させる。そして、制御部２０がレーザ駆動回路１４を介して再生条件を設定し、光ヘッド１１から再生用のレーザ光を光ディスク１００に照射するようになっている。
【００６１】
光ヘッド１１が検出した反射光は、再生回路１５にて再生信号に変換され、制御部２０に入力される。これにより、光ディスク装置１は、光ディスク１００の記録層１０１に記録された情報を再生するようになっている。
【００６２】
また、ディスク装填認識部６は、光ディスク１００の装填を検出するためのものであり、例えば、各種センサが例示できるが、光ディスク１００の装填を検出できるものであれば、どのようなセンサを用いてもよい。また、ディスク装填認識部６は、検出した結果を検出信号として制御部２０へ出力するようになっている。
【００６３】
なお、格納部３および制御部２０の具体的な構成については後述する。
【００６４】
＜光ディスク１００の構成＞
次に、図３に基づき、本発明の一実施形態に係る光ディスク装置１（図１参照）によって少なくとも記録処理を行うことが可能な光ディスク１００の概略構成について説明する。
【００６５】
図示のように、光ディスク１００は、記録層１０１とガイド層１０２とを備えた、いわゆるガイド層分離型の光ディスクである。図３では、記録層１０１は４層となっているが、これに限らず、単層からなっていても複数層からなっていてもよい。
【００６６】
記録層１０１は、種々のデータが記録可能な層であるが、トラックを備えていない。一方、ガイド層１０２は、トラッキングを行うためのガイドトラック（不図示）を備えている。より具体的には、ガイド層１０２には、位置（アドレス）情報を含むサーボ用情報がガイドトラックとして記録されている。
【００６７】
すなわち、光ディスク１００では、ガイド層１０２を設け、記録層１０１からトラック（ピットまたはウォブル）をなくすことにより、簡単な構造の記録層を積層させることが可能となる。それゆえ、ガイド層１０２を備えていない光ディスク（ガイド層一体型の光ディスク）に比べ、容易に光ディスク１００を製造することができる。また、ガイド層一体型の光ディスクでは、記録層の積層数が増えるほど、各記録層へのガイドトラックの製造精度が厳密になるが、光ディスク１００では、記録層１０１とは別にガイド層１０２が設けられているので、そのような厳密性が要求されない。それゆえ、光ディスク１００では、ガイド層一体型の光ディスクに比べ、記録層の多層化が容易となる。
【００６８】
また、記録層１０１は、情報記録媒体１００の内周側から、主として、ＢＣＡ（Burst Cutting Area）１０１ａ（再生専用領域）、インナーゾーン１０１ｂ（管理情報記録領域）、ユーザデータ記録領域１０１ｃ、及びアウターゾーン１０１ｄで構成されている。
【００６９】
ＢＣＡ１０１ａは、情報の書き換え（書き込み）が不可能な領域であり、光ディスク１００の物理的な構造を識別するための識別情報（ディスク情報（Disk Information））が記録されている。識別情報の具体例としては、光ディスク１００が備える記録層のタイプ（追記型、書き換え型）、光ディスク１００のサイズ（総層数）、光ディスク１００のバージョン（速度等に関連）、サーボの極性、記録マークの極性および光ディスク１００固有の番号などが挙げられる。なお、これらの識別情報の記録順序（又は配置方法）は任意であってよく、通常、規格などによって決められている。
【００７０】
また、ＢＣＡ１０１ａには、記録層１０１を識別するための層識別情報があらかじめ記録されている。この層識別情報としては、層位置が識別可能な情報であればよく、例えばレーザ光入射側からの記録層の順序を示す層番号情報（例えばＬ０、Ｌ１、Ｌ２、…）であってもよい。この場合、層識別情報は、いわゆるＢＣＡコードとして記録されている。このように、ＢＣＡ１０１ａに層識別情報が記録されていることにより、従来のガイド層分離型の光ディスクとは異なり、データ記録すべき記録層（現在アクセスしている記録層、以降指定層とも称する）を正確にかつ短時間で識別することができる。なお、この指定層とは、例えば、データの記録指示を受けたときに当該記録を実行すべき層ともいえる。
【００７１】
なお、層識別情報から記録層の層位置を識別することが可能なように、光ディスク装置１には、当該層識別情報（層番号情報）と記録層との対応関係を示すデータが格納されている。そのため、光ディスク装置１は、層識別情報を読み出すことによって、層識別情報が示す記録層が、データ記録すべき記録層と一致するかを判定することができる。
【００７２】
インナーゾーン１０１ｂは、光ディスク１００においてＢＣＡ１０１ａの外周側に設けられた領域であり、記録層１０１のそれぞれを管理するための管理情報を記録可能な領域である。
【００７３】
インナーゾーン１０１ｂには、上記管理情報として、例えば、光ディスク１００への記録・再生の標準条件、各記録層１０１に対する光ディスク装置１のアクセスの許可不許可（アクセス制限）を示す情報、製造時の欠陥および使用中にできた欠陥の位置を示す情報、光ディスク上の位置（アドレス）を示す位置情報などが記録されている。なお、この欠陥の位置を示す情報は、インナーゾーン１０１ｂおよびアウターゾーン１０１ｄ内の欠陥管理領域に記録される。
【００７４】
なお、インナーゾーン１０１ｂ内の管理情報を記録しない一部の領域をユーザデータ記録に用いる構成であってもよい。それにより、ユーザデータ記録容量を増やすことが可能となる。
【００７５】
また、インナーゾーン１０１ｂには、ＯＰＣ実行領域１０１ｅおよび層識別情報記録領域１０１ｆが設けられている。
【００７６】
ＯＰＣ実行領域１０１ｅは、光ディスク装置１がＯＰＣ処理を実行するための領域であり、ＯＰＣ処理によって決定する、記録層１０１の記録条件を示す記録条件情報を記録することが可能な領域である。換言すれば、ＯＰＣ実行領域１０１ｅは、データの試し書きが実行されることにより、記録層１０１の記録条件を示す記録条件情報が記録される領域である。
【００７７】
層識別情報記録領域１０１ｆは、光ディスク装置１が、記録層１０１のそれぞれを識別するための層識別情報を記録することが可能な領域である。このように、層識別情報記録領域１０１ｆが設けられていることにより、当該領域に、当該領域を有する記録層１０１を示す層識別情報を記録することができる。そして、層識別情報を層識別情報記録領域１０１ｆから直接読み出すことができる。それゆえ、ＢＣＡ１０１ａに層識別情報が記録されているときと同様、当該記録層を正確にかつ短時間で識別することができる。また、当該領域に記録条件情報を層識別情報とともに記録してもよい。
【００７８】
また、層識別情報記録領域１０１ｆは、インナーゾーン１０１ｂに配置されている。すなわち、インナーゾーン１０１ｂは、ＢＣＡ１０１ａよりもユーザデータ記録領域１０１ｃに対して近い位置に設けられている。それゆえ、光ディスク装置１は、ユーザデータ記録領域１０１ｃに近いインナーゾーン１０１ｂから層識別情報を読み出すことが可能となるので、ＢＣＡ１０１ａから層識別情報を取得する場合に比べ、データ記録すべき記録層１０１の識別から、ユーザデータ記録領域１０１ｃへのデータ記録までの時間を短縮することができる。
【００７９】
また、図３では、層識別情報記録領域１０１ｆは、インナーゾーン１０１ｂの、ユーザデータ記録領域１０１ｃの近傍に備えられている。これにより、データ記録すべき記録層１０１の識別から、ユーザデータ記録領域１０１ｃへのデータの記録処理を開始するまでの時間、または、層識別情報を層識別情報記録領域１０１ｆに記録してから、上記記録処理を開始するまでの時間をさらに短縮することができる。
【００８０】
さらに、図３では、層識別情報記録領域１０１ｆは、インナーゾーン１０１ｂの、ＯＰＣ実行領域１０１ｅの近傍に備えられている。一般に、装置の電源投入後に記録層１０１に最初にデータ記録が行われる場合、または、ある記録層１０１から別の記録層１０１へとフォーカス移動され、当該別の記録層１０１にデータ記録が行われる場合、記録感度の違いや温度による記録条件への影響などを排除するため、当該データ記録が行われる記録層１０１に既にデータが記録されている場合であっても、当該記録層１０１に対するＯＰＣ処理が実行される。それゆえ、層識別情報記録領域１０１ｆの近傍にＯＰＣ実行領域１０１ｅが備えられていることにより、層識別情報記録領域１０１ｆに記録された層識別情報によって記録層１０１を確認した直後に、ＯＰＣ処理を実行することができる。すなわち、層識別情報を用いての記録層１０１の識別から、ＯＰＣ処理を開始するまでの時間を短縮することができる。また、上記構成により、層識別情報を層識別情報記録領域１０１ｆに記録してから、ＯＰＣ処理を開始するまでの時間を短縮することができる。
【００８１】
また、層識別情報記録領域１０１ｆは、光ディスク１００に対して光ディスク装置１が情報の記録を行うときの記録方向に対して、ユーザデータ記録領域１０１ｃよりも前方となるように配置されていることが好ましい。この場合、層識別情報の記録後、または、層識別情報が示す記録層１０１の確認後、当該記録層１０１のユーザデータ記録領域１０１ｃへ速やかにアクセスすることができ、当該領域へのデータ記録をスムースに行うことができる。
【００８２】
本実施の形態では、特に断りがない限り、ＯＰＣ実行領域１０１ｅおよび層識別情報記録領域１０１ｆが別々に設けられているものとして説明するが、これらが一体に設けられていてもよい。例えば、ＯＰＣ実行領域１０１ｅが層識別情報記録領域１０１ｆとして機能し、ＯＰＣ実行領域１０１ｅに層識別情報が記録される。この場合には、記録条件情報とともに層識別情報が記録、すなわち１つの情報（記録条件情報および層識別情報を含む層情報）として記録される。
【００８３】
換言すれば、上記の場合、光ディスク装置１によって決定された、記録層１０１の記録条件を示す記録条件情報は、層識別情報とともに層識別情報記録領域１０１ｆに記録される。これにより、ＯＰＣ処理が完了した後に、層識別情報の記録のためだけに記録処理を行う必要がないので、その後のデータの記録処理までにかかる時間を短縮することができる。
【００８４】
なお、インナーゾーン１０１ｂの特定領域に層識別情報記録領域１０１ｆを設けず、ＯＰＣ処理時に、記録条件情報とともに層識別情報が記録される場合には、上記のように層識別情報の記録のためだけに記録処理を行う必要がない。一方、層識別情報記録領域１０１ｆが設けられている場合には、ＯＰＣ実行領域１０１ｅに記録された記録データの中から層識別情報を検索する必要がないため、容易に層識別情報を取得することができる。
【００８５】
ユーザデータ記録領域１０１ｃは、インナーゾーン１０１ｂの外周側に設けられており、ソフトウェア、コンテンツ等の各種データを記録することが可能な領域である。
【００８６】
アウターゾーン１０１ｄは、ユーザデータ記録領域１０１ｃの外周側（光ディスク１００の最外周側）に設けられており、前述した欠陥の位置を示す情報などが記録されている。また、アウターゾーン１０１ｄに、ＯＰＣ実行領域１０１ｅおよび層識別情報記録領域１０１ｆが設けられていてもよい。
【００８７】
なお、本実施の形態では、光ディスク装置１の処理対象となる情報記録媒体として光ディスク１００を例に挙げて説明しているが、これに限らず、例えば仮想的な層を含むディスクであってもよい。例えば、データが記録可能なホログラフィック層と、層識別情報およびトラックの場所を含む管理情報（制御情報）が記録されたアルミニウム層とを備えているホログラムディスクであってもよい。この場合、光ディスク装置１は、アルミニウム層から層識別情報を含む管理情報を読み取ることにより、所定のホログラフィック層にデータを記録したり、データを読み取ったりすることができる。
【００８８】
＜制御部２０の構成＞
次に、図１に基づき、光ディスク装置１が備える制御部２０の概略構成について説明する。図１は、制御部２０の概略構成の一例を示す図である。なお、以下において、「アクセス」して「記録する」または「再生する」場合、当該処理を実行する部材は、記録再生回路群１０を制御することにより、レーザ光を、光ディスク１００の所定の記録または再生位置に所定の出力で照射できるように、光ヘッド１１を制御する。
【００８９】
制御部２０は、主として、記録判定部２１（記録判定手段）、層識別情報取得部２２、指定層判定部２３、ＯＰＣ実行部２４（記録条件決定手段）、層識別情報記録部２５（書き込み手段）およびデータ記録部２６を備えている。制御部２０は、例えば制御プログラムを実行することにより、光ディスク装置１を構成する部材を制御するものである。制御部２０は、格納部３に格納されているプログラムを、例えばＲＡＭ（Random Access Memory）等で構成される一時記憶部（不図示）に読み出して実行することにより、ＯＰＣ処理、各種データ記録処理等の各種処理を行う。
【００９０】
記録判定部２１は、光ディスク１００が光ディスク装置１に挿入され、当該光ディスク１００の特定の記録層１０１へのデータ記録指示を受けた後に、当該特定の記録層１０１が有するユーザデータ記録領域１０１ｃにデータが記録されているか否かを判定するものである。記録判定部２１は、その判定結果を層識別情報取得部２２に送信する。なお、この記録判定部２１による判定手法は、通常のガイド層分離型の光ディスクに対して行われる判定手法と同様である。
【００９１】
層識別情報取得部２２は、上記判定結果を解析して、光ディスク１００のＢＣＡ１０１ａおよび層識別情報記録領域１０１ｆのいずれから層識別情報を取得するのかを決定し、当該決定した領域から層識別情報を取得するものである。
【００９２】
具体的には、記録判定部２１によって、光ディスク装置１が受け付けた記録指示に基づく、指定層と思われる記録層１０１のユーザデータ記録領域１０１ｃにデータが記録されていないと判定された場合には、層識別情報記録領域１０１ｆに層識別情報は記録されていない。そのため、層識別情報取得部２２は、ＢＣＡ１０１ａから層識別情報から層識別情報識別を取得する。
【００９３】
ここで、「指定層と思われる記録層１０１」とは、上記記録指示に含まれる所定の記録層（指定層）とみなされる記録層であり、各記録層１０１の反射率の相違などに基づき、上記記録指示が示す記録層であるとみなされた記録層である。また、上記記録指示には、光ディスク１００の初期化も含まれる。
【００９４】
一方、層識別情報取得部２２は、上記ユーザデータ記録領域１０１ｃにデータが記録されていると判定された場合には、層識別情報記録領域１０１ｆから層識別情報を取得する。これは、後述のように、ユーザデータ記録領域１０１ｃにデータが記録されていない場合には、層識別情報記録部２５によって、層識別情報記録領域１０１ｆに層識別情報が記録されているためである。
【００９５】
上述のように、層識別情報記録領域１０１ｆは、ＢＣＡ１０１ａよりもユーザデータ記録領域１０１ｃの近傍に配置されている。それゆえ、層識別情報記録領域１０１ｆから層識別情報を取得することにより、層識別情報を用いての記録層１０１の識別から、ユーザデータ記録領域１０１ｃへのデータ記録までの時間を短縮することができる。
【００９６】
指定層判定部２３は、層識別情報取得部２２で取得した層識別情報が示す記録層１０１が、記録指示が示す記録層１０１（データ記録すべき記録層１０１）であるか否かを判定するものである。すなわち、指定層判定部２３は、現在アクセスしている記録層１０１（現在の層位置）が指定層と一致しているか否かを確認する。そして、その判定結果をＯＰＣ実行部２４に送信する。
【００９７】
ＯＰＣ実行部２４は、上記判定結果を解析し、上記層識別情報が示す記録層１０１が指定層であれば、当該指定層のＯＰＣ実行領域１０１ｅにアクセスする。そして、ＯＰＣ実行部２４は、指定層としての記録層１０１へデータ記録を行うことを可能とするために、記録光のパワー（記録パワー）を段階的に変更して試し書きを行い（すなわち、最適記録条件調整を行い）、その試し書きにより最適な記録パワーを記録条件として決定する。ＯＰＣ実行部２４は、決定した記録条件を記録条件情報（最適記録条件情報）として、ＯＰＣ実行領域１０１ｅに記録する。
【００９８】
すなわち、ＯＰＣ実行部２４は、層識別情報記録部２５が層識別情報を書き込む記録層の記録条件を決定し、その記録条件を示す記録条件情報として、ＯＰＣ実行領域１０１ｅに書き込むものである。
【００９９】
層識別情報記録部２５は、記録判定部２１によって、ユーザデータ記録領域１０１ｃにデータが未記録であると判定された場合に、層識別情報取得部２２がＢＣＡ１０１ａから取得した層識別情報を、当該ユーザデータ記録領域１０１ｃを有する記録層１０１（すなわち、指定層）のインナーゾーン１０１ｂに書き込む。上述のように、インナーゾーン１０１ｂは、ユーザデータ記録領域１０１ｃに隣接しているゆえ、指定層の識別から、ユーザデータ記録領域１０１ｃへのデータ記録までの時間を短縮することができる。
【０１００】
換言すれば、層識別情報記録部２５は、上記のように判定された場合に、指定層としての記録層１０１に、当該記録層１０１を識別するための層識別情報を書き込むものである。これにより、データ記録すべき記録層１０１を正確にかつ短時間で識別することができる。特に、次回以降のデータ記録時（図４のＳ１６）に速やかにアクセスすべき記録層１０１を把握することができるので、その後の再度のＯＰＣ処理およびユーザデータ記録領域１０１ｃへのデータ記録の各動作を迅速かつ容易に行うことができる。
【０１０１】
層識別情報記録部２５は、インナーゾーン１０１ｂに層識別情報を記録すると、その記録が完了したことをデータ記録部２６に通知する。
【０１０２】
また、層識別情報記録部２５は、上記ＯＰＣ実行部２４によって決定された記録条件情報を受信し、層識別情報を、記録条件情報とともに書き込んでもよい。これにより、光ディスク１００へのデータの試し書き時に（ＯＰＣ処理の実行中に）、記録条件情報とともに層識別情報を書き込むことができる。それゆえ、上述のように、ＯＰＣ処理が完了した後に、層識別情報の記録処理を行う必要がない。
【０１０３】
この場合、層識別情報記録部２５は、層識別情報と記録条件情報とを含む１つの層情報として、ＯＰＣ実行領域１０１ｅとしても機能する層識別情報記録領域１０１ｆに書き込む。したがって、層識別情報を取得した段階で、記録条件情報も取得することができるので、再度のＯＰＣ処理の実行時に、当該記録条件情報が示す記録条件を最初の記録条件として利用することができる。そのため、ＯＰＣ処理時間の短縮することができる。
【０１０４】
また、上記層情報には、上記層識別情報および記録条件情報以外にも、光ディスク装置１を示す装置固有情報（光ディスク装置１を識別するための識別名を示す情報）を含めてもよい。すなわち、層識別情報を記録するときに、最終的な記録データとして記録条件情報および装置固有情報を合わせて記録してもよい。また、この層情報として記録される記録データの種類については、特に指定はない。層識別情報等についても同様である。
【０１０５】
また、ＯＰＣ実行領域１０１ｅが層識別情報記録領域１０１ｆとして機能してもよい。この場合、ＯＰＣ実行部２４が層識別情報記録部２５としての機能を有していてもよく、また、上記と同様、ＯＰＣ処理の実行中にＯＰＣ実行領域１０１ｅに層識別情報が記録されてもよい。
【０１０６】
データ記録部２６は、上記通知を受けて、光ディスク１００が光ディスク装置１に挿入されたときに受けた記録指示に含まれるデータ（ユーザデータ）を記録するものである。データ記録部２６は、指定層と判定された記録層１０１のユーザデータ記録領域１０１ｃの所定の記録位置（記録開始位置）にアクセスし、上記データを記録する。
【０１０７】
また、格納部３は、制御部２０が実行する（１）各部の制御プログラム、（２）ＯＳプログラム、（３）アプリケーションプログラム、および、（４）これらプログラムを実行するときに読み出す各種データを記録するものである。制御部２０は、例えばＲＯＭ（Read Only Memory）フラッシュメモリなどの不揮発性の記憶装置によって構成されるものである。なお、上述した一時記憶部は、ＲＡＭなどの揮発性の記憶装置によって構成されているが、本実施の形態では、格納部３が一時記憶部の機能も備えているものとして説明する場合もある。
【０１０８】
＜光ディスク装置１における処理の流れ＞
次に、図４に基づき、光ディスク装置１における処理の流れについて説明する。図４はその処理を示すフローチャートである。
【０１０９】
図示のように、光ディスク装置１に光ディスク１００が挿入され（Ｓ１）、例えば操作部（不図示）を介して、所定の記録層１０１に対してデータを記録する旨の記録指示があったときに（Ｓ２）、記録判定部２１は、指定層と思われる記録層１０１のデータ記録領域１０１ｃにデータが記録されているか否かを判定する（Ｓ３）。
【０１１０】
記録判定部２１によって、上記指定層と思われる記録層１０１のユーザデータ記録領域１０１ｃにデータが記録されていないと判定された場合には（Ｓ３でＹＥＳ、例えば初回記録時）、層識別情報取得部２２は、当該記録層１０１のＢＣＡ領域１０１ａへアクセスし（Ｓ４）、当該ＢＣＡ１０１ａから層識別情報を取得する（Ｓ５）。なお、記録判定部２１は、例えば、インナーゾーン１０１ｂに層識別情報が記録されているか否かを判定し、インナーゾーン１０１ｂに層識別情報が記録されていない場合に、「未記録」と判定してもよい。
【０１１１】
指定層判定部２３は、層識別情報取得部２２が取得した層識別情報が示す記録層１０１が、指定層（記録指示に含まれる記録層１０１）と一致するか否かを判定する（Ｓ６）。指定層判定部２３によって指定層であると判定された場合には（Ｓ６でＹＥＳ）、ＯＰＣ実行部２４は、その指定層のＯＰＣ実行領域１０１ｅにアクセスし、ＯＰＣ処理を実行して、記録条件を決定する（Ｓ７）。また、このとき、ＯＰＣ実行部２４は、決定した記録条件を示す記録条件情報をＯＰＣ実行領域１０１ｅに記録する。
【０１１２】
一方、上記層識別情報が示す記録層１０１が指定層ではないと判定された場合には（Ｓ６でＮＯ）、層識別情報取得部２２は、指定層と思われる記録層１０１を新たに選択し、その記録層１０１にアクセスする（Ｓ４）。例えば、その指定層と思われる記録層１０１は、現在アクセスしている記録層１０１の層識別情報から類推することによって選択される。この選択は、上記指定層と一致するまで行われる。
【０１１３】
Ｓ７の処理後、層識別情報記録部２５は、上記指定層と判定された記録層１０１のインナーゾーン１０１ｂの層識別情報記録領域１０１ｆにアクセスし、上記層識別情報を記録データとして書き込む（Ｓ８）。層識別情報書込み終了後、データ記録部２６は、当該ユーザデータ記録領域１０１ｃの所定の記録位置にアクセスし（Ｓ９）、当該記録位置に、上記記録指示に含まれるデータを記録する（Ｓ１０）。
【０１１４】
また、記録判定部２１において、ユーザデータ記録領域１０１ｃにデータが記録されていると判定された場合（Ｓ３でＮＯ、例えば次回以降の記録時（光ディスク１００を挿入したままの再記録時を含む））、層識別情報取得部２２は、当該記録層１０１のインナーゾーン１０１ｂへアクセスし（Ｓ１１）、当該インナーゾーン１０１ｂから層識別情報を取得する（Ｓ１２）。
【０１１５】
指定層判定部２３は、層識別情報取得部２２が取得した層識別情報が示す記録層が、指定層と一致するか否かを判定する（Ｓ１３）。指定層判定部２３によって指定層であると判定された場合には（Ｓ１３でＹＥＳ）、Ｓ７と同様に、ＯＰＣ実行部２４がＯＰＣ処理を再実行し、記録条件を決定する（Ｓ１４）。一方、指定層ではないと判定された場合には（Ｓ１３でＮＯ）、Ｓ６でＮＯの場合と同様の処理が行われる。
【０１１６】
Ｓ１４の処理後、データ記録部２６は、当該ユーザデータ記録領域１０１ｃの所定の記録位置にアクセスし（Ｓ１５）、当該記録位置に、上記記録指示に含まれるデータを記録する（Ｓ１６）。
【０１１７】
以上のように、層識別情報がＢＣＡ１０１ａにのみ記録されている場合には、当該ＢＣＡ１０１ａから層識別情報を読み出して、アクセスしている記録層１０１が指定層であるか否かを確認する。これにより、従来のように反射率の相違により記録層の識別を行う場合に比べ、正確にかつ短時間で当該識別を行うことができる。
【０１１８】
また、層識別情報がインナーゾーン１０１ｂの層識別情報記録領域１０１ｆに記録されている、すなわちＢＣＡ１０１ａ以外の領域に記録されている場合には、ＢＣＡ１０１ａにのみに記録されている構成に比べて、ユーザデータ記録領域１０１ｃにより近い領域に層識別情報が記録されている。それゆえ、層識別情報の取得位置からユーザデータ記録領域１０１ｃの所定の記録位置への移動距離が短くて済み、指定層の確認からデータ記録までの処理時間を短縮することができる。
【０１１９】
なお、光ディスク１００を挿入したままの再記録時など、記録層１０１の記録条件が変化していない場合には、当該記録層１０１の層識別情報記録領域１０１ｆに記録された層識別情報を取得して、当該記録層１０１が指定層であるかを確認した後、ＯＰＣ処理を行わずに、ユーザデータ記録領域１０１ｃにデータを新たに記録することができる。
【０１２０】
また、光ディスク１００のようなデータ記録可能なディスクでは、ユーザデータ記録領域に記録データとしてのユーザデータとともに、層識別情報を含むアドレスデータが記録される。この場合、光ディスク１００のユーザデータ記録領域１０１ｃにも、層識別情報が記録されていることになる。それゆえ、記録層１０１の記録条件が変化していない場合に、ユーザデータ記録領域１０１ｃから層識別情報を取得して、上記処理が行われてもよい。
【０１２１】
〔実施の形態２〕
本発明の実施の一形態について図５〜図７に基づいて説明すれば、以下のとおりである。なお、実施の形態１と同様の部材に関しては、同じ符号を付し、その説明を適宜省略する。例えば、光ディスク装置１および１ａの概略構成は同じであるゆえ、その説明を省略する。
【０１２２】
＜光ディスク１００ａの構成＞
まず、図５に基づき、本発明の一実施形態に係る光ディスク装置１ａ（記録装置）（図６参照）によって少なくとも記録処理を行うことが可能な光ディスク１００ａ（情報記録媒体）の概略構成について説明する。
【０１２３】
光ディスク１００ａは、光ディスク１００と同様、いわゆるガイド分離型の光ディスクである。光ディスク１００ａは、図５に示すように、特定の記録層１０１にのみＢＣＡ１０１ａが存在する点で、記録層１０１のそれぞれにＢＣＡ１０１ａが設けられている光ディスク１００とは異なる。
【０１２４】
ＢＣＡ１０１ａには、そのＢＣＡ１０１ａを有する特定の記録層１０１を示す層識別情報のみが記録されている。また、層識別情報に加え、光ディスク１００ａの記録層の総数を示す総層数情報が記録されていてもよい。これにより、後述のように、指定層の識別を確実に行うことができる。
【０１２５】
なお、図５では、ＢＣＡ１０１ａを有する記録層１０１が、ガイド層１０２に隣接しているが、これに限らず、他の記録層１０１の一部にＢＣＡ１０１ａが設けられていてもよい。また、記録層１０１ではなく、ガイド層１０２にＢＣＡ１０１ａが設けられていてもよい。
【０１２６】
＜光ディスク装置１ａの構成＞
次に、図６に基づき、本発明の別の実施形態である光ディスク装置１ａが備える制御部２０ａの概略構成について説明する。
【０１２７】
図示のように、光ディスク装置１ａの制御部２０ａは、層数カウント部３３を備えている点で、光ディスク装置１の制御部２０とは異なる。
【０１２８】
層数カウント部３３は、記録指示があった記録層１０１に対するＯＰＣ処理、当該記録層１０１を示す層識別情報の記録処理を実行するために、ガイド層１０２から当該記録層１０１（指定層）までのカウントを行う。これにより、層数カウント部３３は、指定層がレーザ光入射側（ガイド層１０２側）から何番目の記録層であるかを把握する。
【０１２９】
また、層数カウント部３３は、光ディスク１００ａに記録されている総層数情報に基づいて指定層の確認が行われる場合には、ガイド層１０２から、当該ガイド層１０２から最も離れた記録層１０１（ガイド層１０２と反対側の記録層１０１）までの層数をカウントし、当該カウント結果と総層数情報が示す総層数とが一致するか否かを判定してもよい。
【０１３０】
＜光ディスク装置１ａにおける処理の流れ＞
次に、図７に基づき、光ディスク装置１ａについて説明する。図７はその処理を示すフローチャートである。
【０１３１】
図示のように、図４に示すＳ１〜Ｓ３の処理と同様、光ディスク装置１ａに光ディスク１００ａが挿入され（Ｓ２５）、記録指示があったときに（Ｓ２６）、記録判定部２１は、指定層と思われる記録層１０１のデータ記録領域１０１ｃにデータが記録されているか否かを判定する（Ｓ２７）。
【０１３２】
記録判定部２１によって、上記指定層と思われる記録層１０１のユーザデータ記録領域１０１ｃにデータが記録されていないと判定された場合には（Ｓ２７でＹＥＳ、例えば初回記録時）、層数カウント部３３は、その判定結果を受信し、ガイド層１０２から指定層と思われる記録層１０１までの層数をカウントする（Ｓ２８）。これにより、光ディスク装置１ａは、指定層と思われる記録層１０１（この処理では指定層とみなす）が、レーザ光入射側（ガイド層１０２側）から何番目の記録層であるかを把握することができる。
【０１３３】
次に、図４のＳ７以降の処理と同様、ＯＰＣ実行部２４は、当該記録層１０１（指定層）のＯＰＣ実行領域１０１ｅにアクセスし、ＯＰＣ処理を実行して、記録条件を決定する（Ｓ２９）とともに、決定した記録条件を示す記録条件情報をＯＰＣ実行領域１０１ｅに記録する。その後、層識別情報記録部２５は、指定層としての記録層１０１のインナーゾーン１０１ｂの層識別情報記録領域１０１ｆにアクセスし、上記層識別情報を記録データとして書き込む（Ｓ３０）。層識別情報書込み終了後、データ記録部２６は、当該ユーザデータ記録領域１０１ｃの所定の記録位置にアクセスし（Ｓ３１）、当該記録位置に、上記記録指示に含まれるデータを記録する（Ｓ３２）。
【０１３４】
一方、記録判定部３１によって、ユーザデータ記録領域１０１ｃにデータが記録されていると判定された場合（Ｓ２７でＮＯ、例えば次回以降の記録時）のＳ３３〜Ｓ３８の処理に関しては、実施の形態１と同じ処理（図４のＳ１１〜Ｓ１６）となるので、その説明を省略する。
【０１３５】
＜上記処理の変形例＞
上記では、層数カウント部３３は、ガイド層１０２から、記録指示があった記録層１０１までの層数をカウントすることにより、当該記録層１０１へのＯＰＣ処理および層識別情報の記録処理を実行する。したがって、この場合には、当該カウントによってのみ指定層を把握するため、その後の処理を迅速に行うことができるが、記録層１０１が確実に指定層であるかどうかまでは確認していない。そこで、その確認を確実に行うために、Ｓ２７でＹＥＳとなった後の処理が以下のように行われてもよい。
【０１３６】
すなわち、層数カウント部３３は、ＢＣＡ１０１ａが設けられている記録層１０１のＢＣＡ１０１ａへアクセスし、当該ＢＣＡ１０１ａから総層数情報を取得する。その一方で、図７に示すＳ２８〜Ｓ３０の処理を行い、指定層とみなしている記録層１０１へのＯＰＣ処理および層識別情報の記録を実行する。
【０１３７】
次に、層数カウント部３３は、当該記録層１０１に層識別情報が記録された後、ガイド層１０２から、当該ガイド層１０２から最も離れた記録層１０１までの層数をカウントして、取得した総層数情報が示す総層数と一致しているかを確認する。当該一致を確認すると、その旨を層識別情報取得部２２に通知する。層識別情報取得部２２は、指定層とみなしている記録層１０１に再度アクセスし、当該記録層１０１に記録されている層識別情報を取得する。
【０１３８】
このように、層数カウント部３３が記録層１０１の数をカウントすることにより記録層１０１にデータ記録等を行う場合であっても、上記カウント数と総層数とが一致しているかを確認することにより、その記録層１０１を指定層として確実に把握することが可能となる。
【０１３９】
その後、指定層判定部２３は、層識別情報取得部２２が取得した層識別情報が示す記録層１０１（指定層とみなされている記録層１０１）が、上記記録指示に含まれる指定層と一致するか否かを判定する。当該一致を確認した場合には、指定層とみなされている記録層１０１（現在の層位置）が、実際にデータ記録すべき記録層１０１であると判断することができる。
【０１４０】
なお、層識別情報を記録した記録層１０１と指定層とが一致しない場合には、当該記録層１０１へのデータ記録を実行しなくてもよい。また、総層数がカウント結果と一致しない場合には、記録層１０１に記録された層識別情報が示す記録層（層番号）が信用できないため、層数カウント部３３が再度ガイド層１０２から層数をカウントし直し、総層数とカウント結果とが一致することを確認した後、層識別情報の記録処理が行われてもよい。
【０１４１】
〔まとめ〕
以上のように、光ディスク装置１、１ａ（またはその制御方法）は、記録層１０１とガイド層１０２とを備える光ディスク１００、１００ａのようなガイド層分離型の光ディスクに対するデータ記録処理を行うものである。光ディスク装置１、１ａは、ユーザデータ記録領域１０１ｃにデータが記録されているか否かを判定する記録判定部２１（記録判定ステップ）と、ユーザデータ記録領域１０１ｃにデータが未記録であると判定された場合に、当該ユーザデータ記録領域１０１ｃを有する記録層１０１に、当該記録層１０１を識別するための層識別情報を書き込む層識別情報記録部２５（書き込みステップ）と、を備えている。
【０１４２】
すなわち、各記録層１０１のユーザデータ記録領域１０１ｃに最初にデータ記録を行う前に、層識別情報を記録することができる。そのため、例えば次回以降のデータ記録時に、その書き込まれた層識別情報を記録層１０１から直接読み出すことができる。
【０１４３】
さらに、光ディスク１００、１００ａの記録層１０１は、層識別情報が記録可能な層識別情報記録領域１０１ｆを有しているので、光ディスク装置１、１ａは、層識別情報を各記録層１０１に記録することができる。そして、層識別情報を層識別情報記録領域１０１ｆから直接読み出すことができる。
【０１４４】
それゆえ、ガイド層分離型の光ディスクにおいて、従来のように、各記録層１０１に層識別情報を備えず、各記録層１００の反射率の相違によって記録層を識別する場合に比べ、当該記録層を正確にかつ短時間で識別することができる。
【０１４５】
ここで、ガイド層分離型の光ディスクの各記録層はトラックがないフラットな記録層から構成されており、ピットまたはウォブルなどの溝が形成されていない。これはユーザデータ記録領域に限らず、例えばインナーゾーンも同様である。すなわち、従来のガイド層分離型の光ディスクにおいては、層識別情報を記録する手段がなかった。
【０１４６】
例えば、記録層に情報の書き換えが不可能なＲＯＭ領域を設ける構成も考えられるが、ＲＯＭ領域形成のための製造コストがかかってしまうとともに、ユーザデータ記録領域１０１ｃの記録領域を狭めることになってしまう。ガイド層分離型の光ディスクでは、トラッキングのために１層だけグルーブ層（ガイド層）を設け、記録層にグルーブを形成しないことにより、光ディスクの製造コストを大幅に削減することを目的としている。それゆえ、ガイド層分離型の光ディスクでは、上記のように製造コストの高いＲＯＭ領域を設けるといった大掛かりな構成の追加には否定的である。
【０１４７】
また、従来のガイド層分離型の光ディスクでは、各記録層を識別可能とするために、各記録層の反射率を変え、記録装置がその反射率の違いを検出することにより各記録層を識別していた。しかしながら、評価機を用いた試作レベルではその識別を行うことが可能であるが、当該光ディスクが量産され、かつ、種々の記録装置において情報記録が行われることを想定した場合、当該識別を行うことは困難となる。
【０１４８】
それゆえ、上記のように、本発明では、ガイド層分離型の光ディスク（光ディスク１００、１００ａ）の各記録層１０１に層識別情報を記録することができるので、記録層１０１（指定層）を正確にかつ短時間で識別することができる。
【０１４９】
また、光ディスク１００では、層識別情報は、各記録層１０１のＢＣＡ１０１ａにＢＣＡコードを利用して記録されている。この場合も、従来に比べ、指定層を正確にかつ短時間で識別することができる。
【０１５０】
〔ソフトウェアによる実現例〕
最後に、光ディスク装置１、１ａの各ブロック、特に制御部２０、２０ａの各部は、集積回路（ＩＣチップ）上に形成された論理回路によってハードウェア的に実現してもよいし、ＣＰＵ（Central Processing Unit）を用いてソフトウェア的に実現してもよい。
【０１５１】
後者の場合、光ディスク装置１、１ａは、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである光ディスク装置１、１ａの制御プログラムのプログラムコード（実行形式プログラム、中間コードプログラム、ソースプログラム）をコンピュータで読み取り可能に記録した記録媒体を、上記光ディスク装置１、１ａに供給し、そのコンピュータ（またはＣＰＵやＭＰＵ）が記録媒体に記録されているプログラムコードを読み出し実行することによっても、達成可能である。
【０１５２】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１５３】
また、光ディスク装置１、１ａを通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５４】
〔補足〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５５】
本発明は、ガイド層分離型の光ディスクが備える記録層を正確にかつ短時間で識別することができるので、当該ガイド層分離型の光ディスク全般に好適に利用できる。
【符号の説明】
【０１５６】
１      光ディスク装置（記録装置）
１ａ    光ディスク装置（記録装置）
２１    記録判定部（記録判定手段）
２４    ＯＰＣ実行部（記録条件決定手段）
２５    層識別情報記録部（書き込み手段）
１０１    記録層
１０２    ガイド層
１００    光ディスク（情報記録媒体）
１００ａ  光ディスク（情報記録媒体）
１０１ａ  ＢＣＡ（再生専用領域）
１０１ｂ  インナーゾーン（管理情報記録領域）
１０１ｃ  ユーザデータ記録領域
１０１ｄ  アウターゾーン（管理情報記録領域）
１０１ｅ  ＯＰＣ実行領域
１０１ｆ  層識別情報記録領域
【図１】
2014032729.tif 000003
【図２】
2014032729.tif 000004
【図３】
2014032729.tif 000005
【図４】
2014032729.tif 000006
【図５】
2014032729.tif 000007
【図６】
2014032729.tif 000008
【図７】
2014032729.tif 000009